(57)【要約】【課題】耳たぶの前面には装飾部分のみが現れ、装飾と関係しない部分は前方より見えないようにして、装飾効果が減殺されないようにする。【解決手段】耳装飾具１は表面の全体が装飾面４０を構成する帯状の装飾体２とその装飾体２の裏面に沿う挟み片５とからなる。装飾体２と挟み片５とは、全長にわたり耳たぶの挿入が可能な間隙６を挟んで対向し、先端部３ａ，５ａ間は開放され、基端部３ｂ，５ｂ間は挟み片５の基端５ｃが装飾体２の裏面の基端縁に一体に連設されることにより閉じられている。【選択図】図３
2015043878.tif 000002
【特許請求の範囲】
【請求項１】
表面の全体が装飾面を構成する帯状の装飾体とその装飾体の裏面に沿う挟み片とからなり、前記装飾体と挟み片とは、全長にわたり耳たぶの挿入が可能な間隙を挟んで対向し、先端部間は開放され、基端部間は前記挟み片の基端が装飾体の裏面の基端縁に一体に連設されることにより閉じられている耳装飾具。
【請求項２】
前記挟み片は、基端部に９０度より小さな角度で湾曲する湾曲部分を有し、挟み片の基端は装飾体の裏面に９０度より小さな角度をなして連設されている請求項１に記載された耳装飾具。
【請求項３】
前記挟み片は、前記間隙が長さ中央部において狭まるように湾曲している請求項１または２に記載された耳装飾具。
【発明の詳細な説明】
【技術分野】
【０００１】
この発明は、少なくとも一方の耳の耳たぶに装着される耳装飾具に関し、この発明は特に、耳たぶを表裏面より挟むようにして装着される耳装飾具に関する。
【背景技術】
【０００２】
従来、耳装飾具として、耳たぶへの装着に耳たぶに穿孔を施す必要がある「ピアス」と呼ばれるものと、その種の穿孔を必要としない一般に「イヤリング」と呼ばれるものとがある。「イヤリング」は、耳たぶに固定する手段としてネジが用いられたネジ式のものが一般的であるが、その種のものは、耳たぶに対する着脱が簡便でなく、構造も複雑となり、耳たぶへの装着時、ネジを含む固定金具が耳たぶの背後に突出して見栄えを低下させるという問題がある。
【０００３】
近年、ネジ式とは別に、耳たぶを表裏面から挟むクリップ式のイヤリングが提案されている（例えば、特許文献１参照）。この種のイヤリングは、図６に示すように、弾性線材より成るＵ字形状のクリップ部材９と、そのクリップ部材９の一片９ａにロウ付けなどにより固着された装飾部材８とで構成されており、クリップ部材９の間隙９０へ耳たぶの下端部を挿入するようにして装着される。
【先行技術文献】
【特許文献】
【０００４】
【特許文献１】実用新案登録第３１７２４１６号公報
【発明の概要】
【発明が解決しようとする課題】
【０００５】
耳たぶに装着したとき、図７に示すように、装飾部材８は耳たぶａの前面に位置するが、クリップ部材９の基端部分９１や折返し部分９２など、装飾と関係しない部分が耳たぶａの前面に露出して前方より見えるため、見栄えが悪く、装飾効果が減殺されるという問題がある。
【０００６】
この発明は、上記の問題に着目してなされたもので、耳たぶの前面には装飾部分のみが現れ、装飾と関係しない部分は前方より見えないようにすることにより、装飾効果に優れた耳装飾具を提供することを目的とする。
【課題を解決するための手段】
【０００７】
この発明による耳装飾具は、表面の全体が装飾面を構成する帯状の装飾体とその装飾体の裏面に沿う挟み片とからなる。前記装飾体と挟み片とは、全長にわたり耳たぶの挿入が可能な間隙を挟んで対向し、先端部間は開放され、基端部間は前記挟み片の基端が装飾体の裏面の基端縁に一体に連設されることにより閉じられている。
【０００８】
この発明の上記した構成において、「装飾面」とは、耳の装飾に関わる部分により構成される面をいう。この発明による耳装飾具では、装飾体の表面の全体が装飾面を構成しており、装飾体の裏面の基端縁に前記挟み片の基端が一体に連設されているので、耳たぶに装着したとき、耳たぶの前面には装飾に関わる装飾面のみが現れ、装飾と関係しない挟み片は装飾体や耳たぶの背後に位置して前方より見えない。
【０００９】
この発明の好ましい実施態様においては、前記挟み片は、基端部に９０度より小さな角度で湾曲する湾曲部分を有し、挟み片の基端は装飾体の裏面に９０度より小さな角度をなして連設されている。
この実施態様によれば、装飾と関係しない挟み片の基端部の全体が装飾体や耳たぶの背後に完全に隠れ、前方より見えない。
【００１０】
この発明のさらに好ましい実施態様においては、前記挟み片は、前記間隙が長さ中央部において狭まるように湾曲している。
この実施態様によれば、装飾体と挟み片との間の間隙へ耳たぶの下端部を先端部間の開放された部分より挿入したとき、挟み片は間隙が長さ中央部で狭まるように湾曲しているので、装飾体と挟み片の湾曲部分との間で耳たぶがしっかりかつソフトに挟持される。
【発明の効果】
【００１１】
この発明によれば、耳たぶの前面には装飾に関わる装飾面のみが現れ、装飾と関係しない部分は前方より見えないように構成されているので、装飾と関係しない部分が耳たぶの前面に露出することによる装飾効果の減殺を防止することができる。
【図面の簡単な説明】
【００１２】
【図１】この発明の一実施例である耳装飾具の正面図である。
【図２】図１の耳装飾具の背面図である。
【図３】図１の耳装飾具の側面図である。
【図４】耳たぶに装着された図１の耳装飾具を耳たぶの前方より見た図である。
【図５】耳たぶに装着された図１の耳装飾具を耳たぶの側方より見た図である。
【図６】従来のイヤリングの側面図である。
【図７】耳たぶに装着された図６のイヤリングを耳たぶの前方より見た図である。
【発明を実施するための形態】
【００１３】
図１〜図３は、この発明の一実施例である耳装飾具１の外観を示している。図示例の耳装飾具１は、一方または両方の耳の耳たぶに装着されるもので、金、銀、真鍮などの金属を鋳造成形したものであり、帯状の装飾体２とその装飾体２の裏面に沿う挟み片５とで構成されている。
【００１４】
この実施例の装飾体２は、全体が一側方へ湾曲する装飾部材の取付片３と、取付片３の上面に取り付けられた複数個の装飾部材４とで構成されている。図示例では、装飾部材４として真珠を模した大小の飾り玉４ａ，４ｂが用いてあるが、これに限らず、宝石を模したガラス玉などを用いることもでき、また、そのような模造品に代えて真珠や宝石を用いることもできる。なお、装飾体２は、文字や模様などを模ったものであってもよく、その場合は、上記した装飾部材４は必ずしも必要がない。
【００１５】
大小の飾り玉４ａ，４ｂより成る装飾部材４は、取付片３の上面に列状に形成された複数個の円形状の台座３０にそれぞれ取り付けられており、この取付片３上の端から端まで並ぶ複数個の装飾部材４によって装飾体２は表面の全体が装飾に関わる装飾面４０を構成している。
【００１６】
挟み片５は取付片３とほぼ同じ長さを有し、取付片３の湾曲に合せてほぼ同じ曲率で一側方へ湾曲している。取付片３と挟み片５とは、耳たぶａを表裏面から挟むことが可能なように、全長にわたり耳たぶの挿入が可能な間隙６を挟んで対向している。挟み片５の先端部５ａと取付片３の先端部３ａとの間は、耳たぶが間隙６内に入り込み易いように外拡がりの状態で開放されている。
【００１７】
挟み片５の基端部５ｂと取付片３の基端部３ｂとの間は、挟み片５の基端５ｃが取付片３の裏面の基端縁に一体に連設されることにより閉じられている。この実施例では、挟み片５と取付片３とは一体成形されているが、これに限らず、挟み片５の基端５ｃを取付片３の裏面の基端縁にロウ付けによりスポット状に接合してもよい。挟み片５は、基端部５ｂに９０度より小さな角度θ１で湾曲する湾曲部分５ｅを有しており、挟み片５の基端５ｃは装飾体２の取付片３の裏面に９０度より小さな角度θ２をなして連設されている。
【００１８】
挟み片５は、前記の間隔６が基端部側および先端部側に向けて拡がり、長さ中央部において狭まるように湾曲しており、装飾体２と挟み片５の長さ中央部の湾曲部分５ｄとの間で耳たぶがしっかりかつソフトに挟持される。なお、挟み片５は、変形可能な材質の金属により構成すれば、耳たぶの厚みに応じて間隙６の調整が可能である。
【００１９】
上記した構成の耳装飾具１では、装飾体２の表面の全体が装飾に関わる装飾面４０を構成しており、装飾体２の裏面の基端縁に挟み片５の基端５ｃが一体に連設されているので、耳たぶａに装着したとき、図４に示すように、耳たぶａの前面には装飾に関わる装飾面４０のみが現れ、装飾と関係しない挟み片５は装飾体２や耳たぶａの背後に位置して前方より見えない。そのうえ、挟み片５は、図３および図５に示すように、基端部５ｂに９０度より小さな角度θ１で湾曲する湾曲部分５ｅを有し、挟み片５の基端５ｃは装飾体２の裏面に９０度より小さな角度θ２をなして連設されているので、装飾と関係しない挟み片５の基端部５ｂの全体が装飾体２や耳たぶａの背後に完全に隠れて前方より見えることがなく、装飾効果が減殺されることはない
【００２０】
また、装飾体２と挟み片５との間の間隙６へ耳たぶａの下端部を先端部５ａ，５ａ間の開放された部分より挿入したとき、挟み片５は間隙６が長さ中央部で狭まるように湾曲しているので、装飾体２と挟み片５の湾曲部分５ｄとの間で耳たぶａがしっかりかつソフトに挟持される。
【符号の説明】
【００２１】
１    耳装飾具
２    装飾体
３    取付片
４    装飾部材
５    挟み片
６    間隙
４０  装飾面
ａ    耳たぶ
【図１】
2015043878.tif 000003
【図２】
2015043878.tif 000004
【図３】
2015043878.tif 000005
【図４】
2015043878.tif 000006
【図５】
2015043878.tif 000007
【図６】
2015043878.tif 000008
【図７】
2015043878.tif 000009